(57)【要約】【課題】本発明は女性性器に似た外観、質感、機能を備えた膣擬態部を埋設した弾性部材を弾性部材装着具に装着に関する【解決手段】本発明の弾性部材装着具は、女性性器形状に形成された膣擬態部を埋設した弾性部材２を装着具状に形成された柔軟な布等で覆ったもので、弾性部材装着具１に膣擬態部を埋設した弾性部材を取り付けた事を特徴とする。【選択図】      図１０
2004154515.tif 000002
【特許請求の範囲】
【請求項１】
膣擬態部を設けたことを特徴とする人体に装着できる弾性部材装着具。
【請求項２】
前記弾性部材装着具は伸縮性のある柔軟なもので人体の腰部に装着可能な形状に形成されたもので請求項１に記載の弾性部材装着具。
【請求項３】
前記膣擬態部は人体の腰部に装着可能な形状に形成された弾性部材装着具の前面に設けられている請求項１または請求項２のいずれかに記載の弾性部材装着具。
【請求項４】
前記膣擬態部は弾性部材装着具表面に設けた弾性部材に埋設されていることを特徴とする請求項１〜請求項３のいずれかに記載の弾性部材装着具。
【請求項５】
前記弾性部材はスポンジ材ウレタン又はゴム又はそれらの組み合わせからなる請求項４に記載の弾性部材装着具。
【請求項６】
前記膣擬態部は着脱可能である請求項１記載の弾性部材装着具。
【発明の詳細な説明】
【０００１】
【発明の属する技術分野】
本発明は弾性部材装着具に関し、具体的には女性性器に似た外観、質感、機能などを備えた膣擬態部を埋設した女性性器弾性部材を人体に装着する弾性部材装着具に関する。
【０００２】
【従来の技術】
最近の医療技術は日進月歩の発展を遂げている。にもかかわらず若くしてケガや腰痛、あるいは病弱又は性器の病気や不慮の事故による身体的障害等様々なトラブルにより性交渉が不可能となる場合がある。このような時におこる精神的な虚しさ、焦燥感を満たす方法がない。
【０００３】
本発明は配偶者が様々なトラブルにより性交渉が不可能となった場合でも弾性部材装着具を身につけることにより配偶者と会話を交わし接しながら無理なく性交渉を行うことができるので精神的にも肉体的にも充足感を得ることができる。
【０００４】
【発明が解決しようとする課題】
しかし現在のところ配偶者の女性が様々な病気やケガ等で性交渉が不可能となった場合、男性の寂しさを解消することのできる確実な方法はないのが現状である。
【０００５】
男性は寂しさを解決する確実な方法がないので仕事に没頭したりアルコール等に依存したり地域活動やボランティアに参加したり趣味や動物等のペットを飼ったり、あるいはスポーツ等で汗を流すことにより気分を紛らわせている場合が多いのである。
【０００６】
そこで本発明は上記のような悩みをもつ男性に精神的にも肉体的にも充足感を与えストレスを解消し且つ積極的な人生を送る手段を提供することを目的とする。
【０００７】
【課題を解決するための手段】
請求項１にかかる発明の弾性部材装着具は、伸縮性のある柔軟なもので形成された装着具に女性性器に似た外観、人体の肉のように弾力に富み、もち肌のような柔軟さとしっとりとした質感、伸縮性に富んだ機能を備えた膣擬態部を弾性部材に埋設したもので、人体に装着することのできる装着具に膣擬態部を埋設した弾性部材を備えたことを特徴とする。従ってこの装着具を装着した女性となんら違和感なく性行為を行い得る効果が得られる。
【０００８】
このような構造の弾性部材装着具にすることで女性がこの弾性部材装着具を装着し性行為を行うことにより、普段と変わらない会話や温もりを感じながら無理なく性行為を行うことも可能なので、焦燥感や孤独感を解消でき男性は性的欲求も充足でき充実した日々を送ることができる。なお本発明の弾性部材装着具とは図１〜６に示す多様な形態のものを含めたものを意味する。
【０００９】
【発明の実施の形態】
次に本発明の実施例について図面を参照して説明する。図１は本発明の実施例の正面図である。本実施形態の弾性部材装着具は等身大の女性の腰部の形状であり弾性部材装着具１はどの方向にも伸びたり縮んだりする伸縮性のある布、織物、ゴム又は網やナイロン等の化学繊維からなりサイズはフリーサイズである。
【００１０】
膣擬態部は女性性器に似た外観、弾力性があり、しっとりとした質感、伸縮自在の機能を備え膣擬態部６の中心部に男性器を収納し得る物で人の肉体のように弾力性がありしっとりとした触感を備えた伸縮自在のサイバー素材や同じく普通のゴムより弾力性に富みもち肌のような柔軟さと伸縮性を備えた特殊ゴムで形成された膣擬態部穴３と膣擬態部口４を設けこれを弾性部材２に設けられた膣擬態部埋設穴１２に埋設し固定する。
【００１１】
弾性部材装着具１の前面に設けられた収納袋７は弾性部材装着具１と同材料であり弾性部材全体を覆う形に形成されていて弾性部材装着具に縫い付けられるか、あるいは接着剤で接着固定されている。この収納袋には着脱を容易にできる開閉部１０が設けられている。開閉部には弾性部材装着時にその弾性部材を固定できる開閉自在の留具９が備えられている。弾性部材装着時は収納袋に設けられた膣擬態部装着穴５と膣擬態部口４を一致させることは言うまでもないことである。
【００１２】
弾性部材２はサイバー素材やウレタン、ゴム、スポンジ等で形成されたもので図８に示すとおり中央部に膣擬態部６を収納可能な程度に高くし周囲に向かってなだらかに低くし人体に対して大きな段差ができない形状に形成しサイバー素材あるいは特殊ゴムで形成された膣擬態部６を挿入する膣擬態部挿入穴５を設けることにより膣擬態部を使用時に装着し使用後は取り外し消毒洗浄できるので衛生管理上、極めて重要である。
【００１３】
膣擬態部６は内部に男性性器を収納し得る伸縮自在のサイバー素材や特殊ゴムで形成されていて弾性部材２の表面に膣擬態部口４があくように弾性部材に埋設されている。
【００１４】
図９に示すとおり弾性部材装着具を胴穴より左足穴１６と右足穴１７へと順に普通の下着同様に身につけることによってベルト８で体に密着固定され女性器の代用として用い得ることは明らかである。
【００１５】
図１０に示すように腰痛やケガ等の身体の都合で上を向いて性行為を行うことが困難な時は弾性部材装着具を逆に身につけ、うつ伏せになって背後より性行為を行うこともできる。
【００１６】
図２に示すように布あるいはゴムや織物の替わりに網を使う方法がある。また図３に示したように弾性部材に直接足固定ベルト１３及び腰固定ベルト１４を接着剤で取り付け使用することもできる。他にも弾性部材を使用せず膣擬態部のみを弾性部材装着具に装着する方法は図４に示すとおりである。この場合は膣擬態部をしっかり固定するために伸縮性の少ない皮や固めのゴム等で形成した収納筒１５で固定する方法もある。弾性部材装着具も弾性部材も使わず収納筒に直接ベルトを接着剤で接着し使用する方法は図５で示すとおりである。図６のように弾性部材の接着面１８に粘着力があり脱着自在の接着剤を使用し直接人体下腹部に貼りつけて使用することも可能である。
【００１７】
【発明の効果】
以上説明したように膣擬態部を備えた弾性部材全体を覆うように弾性部材装着具に固定することにより弾性部材装着具として身につけることができ、しかも体にしっかり固定されるので類似性行為を行うことが可能となる。しかるに愛する女性と会話を交わしながら性的欲求を充足することも可能であるため精神的、肉体的な充実感を満たしストレスを解消することができる。
【図面の簡単な説明】
【図１】本発明の実施の形態である弾性部材装着具の要部構造を示す正面図である。
【図２】布あるいは化学繊維の替わりに網を使用した実施例を示す図である。
【図３】弾性部材装着具の替わりにゴム又はヒモを使った実施例を示す図である。
【図４】弾性部材を使わず膣擬態部を直接弾性部材装着具に装着又は収納筒に収納し弾性部材装着具に装着した実施例を示す図である。
【図５】弾性部材を使わず弾性部材装着具１の替わりに足固定ベルト１３，腰固定ベルト１４を収納筒に接着または縫い付けて使用した実施例を示す図である。
【図６】弾性部材の接着面に粘着力があり脱着自在の接着剤を使用し直接人体に接着する方法を示す図である。
【図７】図１のＡ−Ａ線断面における内部構造を示す図である。
【図８】図１のＢ−Ｂ線断面における装着状態を示す図である。
【図９】弾性部材装着具装着の実施例。
【図１０】うつ伏せで弾性部材装着具装着時の実施例。
【符号の説明】
１  弾性部材装着具
２  弾性部材
３  膣擬態部穴
４  膣擬態部口
５  膣擬態部挿入穴
６  膣擬態部
７  収納袋
８  ベルト
９  開閉留具
１０  開閉部
１１  胴穴
１２  膣擬態部埋設穴
１３  足固定ベルト
１４  胴固定ベルト
１５  収納筒
１６  左足穴
１７  右足穴
１８  接着面
【図１】
2004154515.tif 000003
【図２】
2004154515.tif 000004
【図３】
2004154515.tif 000005
【図４】
2004154515.tif 000006
【図５】
2004154515.tif 000007
【図６】
2004154515.tif 000008
【図７】
2004154515.tif 000009
【図８】
2004154515.tif 000010
【図９】
2004154515.tif 000011
【図１０】
2004154515.tif 000012